Podtech/llm-jp-corpus-v4-ja_patent huggingface dataset:
(57)【要約】      （修正有）【課題】背筋をゴム等の力で伸ばすだけで、背筋のコリを解消するサポーターを提供する。【解決手段】ドラバイトと竹炭を７対３の割合で配合した混合粉末を、首、肩から背骨、肩甲骨周辺にフィットするようにサポーターの内側にプリントして使用する背筋のコリ解消の為のサポーターである。従来のサポーターとしての背筋を伸ばす機能を保ったまま、混合粉末のプリントにより首、肩、背骨、肩甲骨周辺のコリを解消することができる。【選択図】図３
0003162373.tif 000002
【実用新案登録請求の範囲】
【請求項１】
７対３の割合で配合したドラバイトと竹炭の混合粉末を、首、肩、背骨、肩甲骨周辺にフィットするようにサポーターの内側に直接プリントして使用する背筋のコリ解消サポーター。
【考案の詳細な説明】
【技術分野】
【０００１】本考案は、ドラバイトと竹炭を７対３の割合で配合した混合粉末を、首、肩から背骨、肩甲骨周辺にフィットするようにサポーターの内側にプリントして使用する背筋のコリ解消の為のサポーターに関するものである。
【背景技術】
【０００２】背筋を伸ばすサポーターとしては多くの実用品があるが、首、肩、背骨、肩甲骨のコリを解消し、かつ背筋を伸ばす製品が待たれている。
【先行技術文献】
【特許文献】
【０００３】
【特許文献１】
【考案の概要】
【考案が解決しようとする課題】
【０００４】従来の背筋サポーターはゴム等の力で背筋を伸ばすだけで、首、肩、背中のコリを解消させるものはなかった。
【課題を解決するための手段】
【０００５】本考案は、サポーターの内側に当該混合粉末をプリントし、プリント面が直接患部にあたる様にして使用する。
【考案の効果】
【０００６】本考案は、サポーターの効果により背筋を伸ばしながら、サポーターの内側にプリントした混合粉末が首、肩、背骨、肩甲骨に直接あたる事で患部のコリを解消できる。
【図面の簡単な説明】
【０００７】
【図１】本考案の背筋のコリ解消サポーターの本体である。
【図２】本考案の裏面の図である。
【図３】本考案を適用する場合の実施例を示す概要図である。
【考案を実施するための形態】
【０００８】首、肩、背骨、肩甲骨周辺に当該混合粉末のプリント面が直接あたるようにして使用する。
【実施例】
【０００９】以下、添付図面に従って実施例を説明する。図１は１の背筋サポーターに２の当該混合粉末をプリントした背筋のコリ解消サポーター本体である。【００１０】図２は図１の裏面部分である。【００１１】図３は上半身に背筋のコリ解消サポーターを装着した実施例の概要図である。
【符号の説明】
【００１２】１  背筋サポーター
２  プリントした混合粉末部分
【図１】
0003162373.tif 000003
【図２】
0003162373.tif 000004
【図３】
0003162373.tif 000005
【手続補正書】
【提出日】平成22年6月10日(2010.6.10)
【手続補正１】
【補正対象書類名】実用新案登録請求の範囲
【補正対象項目名】全文
【補正方法】変更
【補正の内容】
【実用新案登録請求の範囲】
【請求項１】
７対３の割合で配合したドラバイトと竹炭の混合粉末を、サポーターの内側、かつ、首、肩、背骨、肩甲骨周辺にフィットする位置に直接プリントした背筋のコリ解消サポーター。
(57)【要約】      （修正有）【課題】ベルト部の交換ができ、長さ調節が簡単なギターストラップを提供する。【解決手段】ギターなど吊下げて演奏する楽器に取り付けられたストラップピン２１に掛止する掛止孔３を形成した舌片状２に連結輪７・８を設ける。ベルト部は長尺布１０からなり、交換可能で、連結輪により長さ調節が可能である。【選択図】図７
0003162380.tif 000002
【実用新案登録請求の範囲】
【請求項１】
ストラップピンに掛止する掛止孔を形成した舌状片に滑り止め溝を施した連結輪を設けることにより、長尺布をベルトとして使用するベルト部の交換ができ、長さ調節が簡単なギターストラップ。
【考案の詳細な説明】
【考案の詳細な説明】
【産業上の利用分野】
【０００１】本考案は、ギターストラップに関するものである。
【背景技術】
【０００２】従来は、ギターや三味線などの楽器を肩にかけて演奏するために用いられるギター用ストラップ（以下、ストラップと称す）は、特許文献１に開示されるように、両端部にストラップピンを掛止する掛止孔を形成した舌状片とベルトが縫い合わされて一体のものであり、ベルト部の交換は不可能である。また、長さ調節は特許文献２に開示されるように調整具を備えなければならない。
【特許文献１】特開２００１−８３９６２
【特許文献２】特開２０１０−８５４２３
【考案が解決しようとする課題】
【０００３】ギターや三味線などの楽器を肩にかけて演奏するために用いられるストラップは、両端部にストラップピンを掛止する掛止孔を形成した舌状片とベルト部が縫い合わされて一体のものを、ストラップピンを掛止する掛止孔を形成した舌状片とベルト部を分け、ベルト部交換可能とし、連結輪を用いて長さ調節を簡潔にしたストラップを提供することを目的とするものである。
【課題を解決するための手段】
【０００４】上記目的を達成するための本考案のストラップは、ギターなどに取り付けられたストラップピンに掛止する掛止孔を形成した舌片状に連結輪を設けて、ベルト部を交換可能とした。また、２本の連結輪を設けることにより連結輪を通した長尺布の端を引っ張り上げることで長さ調節が調整具を使わずに、簡単にできることを特徴とする。
【作用及び考案の効果】
【０００５】上記ストラップは、ベルト部を交換可能とするためベルト部のデザインの変更が容易であること。長尺布を使用するので、風呂敷、タオル、着古した服の生地等が利用でき、洗濯も可能である。また、リサイクル活用によりエコロジーである。さらに、長尺布を用いた場合、楽器の重量も体への加重・接地面積がベルト状のものより幅広いため、肩への負担が軽減され重量感を緩和させる。肩に掛けた状態で、長尺布の端を引っ張り上げる、また、連結輪に巻いた布を解すことで長さ調整が簡単にできる。
【考案を実施するための形態】
【０００６】本考案の実施形態は添付図面を参照して説明する。
【０００７】ストラップ１を構成する舌状片２（図３）は、掛止め孔３と切断線４を設けた合成樹脂製若しくは皮製の舌状片２にプラスティック製の四角形の連結環５を挟み二つ折りにして縫い合わせる。
【０００８】挟み込まれた連結環５には、合成樹脂製連結ベルト６が、図４のように滑り止めのための溝を設けたプラスティック製の吊下げ輪７・８を繋ぐために、連結環５と吊下げ輪７・８を通し縫い合わせ、若しくは接着し輪形状にして設けてある。
【０００９】ストラップ１１（図２）はストラップ１（図１）と構成は同じものであるが、図５のように、ギター本体の前方にストラップピン２５（図６）が付いてないギターもあるので、ストラップ１１には舌状片２にある掛止め孔３に組紐９を通して、ギター等本体ヘッド部２３に結びつけるように組紐９が設けてある。
【００１０】上記構成のストラップ１はギター等演奏時に舌状片２の掛止め孔３に図７ギター２０のボディの２１にあるエンド部の取り付けられたストラップエンドピンに掛止めし、図５ギターのように、ネック部若しくはボディ裏付近にストラップピンの無いものは、ストラップ１１の舌状片２にある掛止め孔３に設けた組紐９で、図８ネック２２の上部、ヘッド２３との間に張られた弦の下を組紐９の一方くぐらせて両端を結びつけ、ギター等を吊下げる。
【００１１】ギター等に取り付けられたストラップ１・１１に長尺布を三角折等帯状に折りたたんで、両端をストラップ１及びストラップ１１の吊下げ輪７・８をくぐらせ、吊下げ輪８を折り返し、吊下げ輪７の内を通して、吊下げ輪７の上部に折り返して、ギター本体を吊下げる。使用例図５・図６
【００１２】上記に記したように、本考案のギターストラップは、ベルト部の交換可能とし、風呂敷等長尺布を用いるため、リサイクル品も使えること、風呂敷などは加工しなくても、三角折程度で着脱簡単、吊下げ時の長さ調節もネック側ストラップの端部を絞り上げるか、緩めることで簡単にできる。
【図面の簡単な説明】
【図１】ストラップエンドピン側に使用するストラップ正面図
【図２】ギターヘッド部側に使用する縛り組紐付ストラップ正面図
【図３】舌状片解体図
【図４】連結輪断面図
【図５】ストラップピンの無いギターでの使用態様を示した正面図
【図６】ストラップピン使用のギターでの使用態様を示した正面図
【図７】ギターエンド部取り付け状態斜図
【図８】ギターヘッド部取り付け状態斜図
【符号の説明】１・・・ストラップ
２・・・舌状片
３・・・掛止め孔
４・・・切断線
５・・・連結環
６・・・連結ベルト
７、８・・・連結輪
９・・・組紐
１０・・・長尺布
２０・・・アコースティックギター
２１・・・ストラップエンドピン
２２・・・ギターネック
２３・・・ギターヘッド
２４・・・エレキギター
２５・・・ストラップピン
【図１】
0003162380.tif 000003
【図２】
0003162380.tif 000004
【図３】
0003162380.tif 000005
【図４】
0003162380.tif 000006
【図５】
0003162380.tif 000007
【図６】
0003162380.tif 000008
【図７】
0003162380.tif 000009
【図８】
0003162380.tif 000010
(57)【要約】【課題】小型で場所をとらず取り付け工事が誰にでも簡単にできる塔婆立てを提供する。【解決手段】塔婆板を１本ずつ固定できるよう差込箇所を狭くすることで塔婆板の下の一部分を差し込んだだけでも倒れることもなく固定できる。又、取り付け部分をさかさＬ型にしたことで接着剤だけで芝台にひっかけて取り付けられる。とともに、場所をとらない形状が可能となる。【選択図】図２
0003162345.tif 000002
【実用新案登録請求の範囲】
【請求項１】
塔婆板１本がぎりぎり差し込めるよう横幅と厚みを調整しトンネル状に施工したことを特徴とする板製さかさＬ型塔婆立て構造。
【請求項２】
図２のように芝台にひっかけて取り付けられるようさかさＬ型に曲げた構造を特徴とする板製さかさＬ型塔婆立て構造。
【考案の詳細な説明】
【技術分野】
【０００１】本考案は塔婆立て構造に  関し、特にコンパクトで簡単に取り付けられる板製さかさＬ型塔婆立て構造に係わる。
【背景技術】
【０００２】従来から塔婆立ては御影石やステンレスのパイプを使い何本も塔婆が立てられるよう、差込口は大きく開けてあり塔婆の長さの半分ぐらいの高さに作ってあり大きくかさばったものであった。一方近年においては都市部などでは墓地が小さく石塔だけを建てるのがやっとの墓地や芝生霊園のように石塔のほかは大きくかさばるものは建ててはいけない場所がふえている。その為、小型の塔婆立ての必要性が重要になってきている。
【考案が解決しようとする課題】
【０００３】しかしながら、パイプ式塔婆立てでは、設置するには、セメントなどで固定工事が必要でありパイプ自体の太さ高さもあり場所を取ってしまう。
【０００４】本考案は板製さかさＬ型構造の為、芝台石に接着剤でひっかけて、簡単に取り付けられかつ、厚みも塔婆１枚ちょっとで、高さも１０ｃｍ前後とコンパクトで場所をとらない。
【課題を解決する為の手段】
【０００５】本考案の板製さかさＬ型塔婆立ての構造はさかさＬ型（「型）に曲げたたて板の表面に１ｃｍ前後の隙間があくようにあらたに板を取り付け、そのあいた空間に８ｃｍ間隔で仕切り板をつけた構造である。
【０００６】本考案の板製さかさＬ型塔婆立て構造によれば「型なので引っ掛けて固定しやすい。又塔婆板１本がぎりぎりに入る厚みと幅しかあいていない構造に仕切られている為、塔婆の下方の一端を差し込んだだけでも、塔婆板を固定でき、コンパクトな塔婆立てができる。
その為、石塔の芝台に簡単に取り付けられせまい墓地芝共生霊園用の塔婆立てとして最適である。
【考案を実施する為の形態】
【０００７】以下、本考案の板製さかさＬ型塔婆立ての構造をその実施の最良の形態について図面に示す実施例に基づいて具体的に説明する。
【０００８】図１は本考案の実施例を示すものである。図面のようにさかさＬ型に曲げた板２のたて板の表面に１ｃｍ前後の隙間があくように新たな板３を取り付け、そのあいた空間に仕切り板４を８ｃｍ前後の間隔で取り付けた構造の塔婆立てである。
【０００９】本考案を実施するにあたり、この説明手順に限定されるものではない。
【００１０】本実施例では図２のように芝台５に接着剤で本考案の塔婆立てを取り付ける。出っ張りも１ｃｍ程度膨らむだけで場所もとらずせまい場所でも容易に取り付けられる。又、接着剤で取り付けるだけなので、施工が簡単でどなたでも取り付けが可能です。
【図面の簡単な説明】
【００１１】
【図１】は本願考案の板製さかさＬ型塔婆立ての正面斜視図である。
【図２】は本願考案のさかさＬ型塔婆立てを芝台石に取り付けた状態の正面斜視図である。
【符号の説明】
【００１２】１・・・・・板製さかさＬ型塔婆立て本体
２・・・・・さかさＬ型に曲げた板
３・・・・・コの字に曲げた板
４・・・・・仕切り板
５・・・・・芝台（石）
６・・・・・墓石
【図１】
0003162345.tif 000003
【図２】
0003162345.tif 000004
【手続補正書】
【提出日】平成22年2月5日(2010.2.5)
【手続補正１】
【補正対象書類名】実用新案登録請求の範囲
【補正対象項目名】全文
【補正方法】変更
【補正の内容】
【実用新案登録請求の範囲】
【請求項１】
さかさＬ型に曲げた板の縦板の表面に、左右の両端を１ｃｍずつ直角に折った別の板（さかさＬ型板の縦板と同じ高さと幅をもつ）を取り付け、それによって空いた隙間に仕切り板を縦に取り付けた構造を特徴とする板製さかさＬ型搭婆立て構造。
【手続補正書】
【提出日】平成22年5月28日(2010.5.28)
【手続補正１】
【補正対象書類名】実用新案登録請求の範囲
【補正対象項目名】全文
【補正方法】変更
【補正の内容】
【実用新案登録請求の範囲】
【請求項１】
さかさＬ型に曲げた、たて板の両端に、左右の両端を１ｃｍずつ直角に折った板を取り付け、それによって空いた隙間に仕切り板を縦に取り付けた構造を特徴とする板製さかさＬ型搭婆立て構造。
(57)【要約】      （修正有）【課題】ビニール袋等をたたんで保管し、かつ取り出しやすい構造の整理用具を提供する。【解決手段】収納しようとするたたんだビニール袋１−２枚毎に収まる程度の間隔で、仕切を土台板に設置又は同時成型している。【選択図】図７
0003162344.tif 000002
【実用新案登録請求の範囲】
【請求項１】
使用済みビニ−ル袋等をたたんで空気を押し出した状態で１−２枚づつ収納保管できる仕切りを設けた事を特徴とした収納具。
【考案の詳細な説明】
【技術分野】
【０００１】  本考案は、ビニ−ル袋等をたたんで保管し、かつ取り出し易い構造をした収納具。
【背景技術】
【０００２】  ス−パ−などで得るビニ−ル袋の資源を有効活用するため、そのビニ−ル袋の保管場所を取らずに整理保管し、かつ取り出し易くする必要があった。
【先行技術文献】
【特許文献】
【０００３】
【特許文献１】実用新案公開平６−６７３８５
【特許文献２】実用新案公開平６−８３１１
【特許文献３】実用新案公開平５−８４６２７
【特許文献４】実用新案公開平５−９４１７５
【特許文献】
【特許文献５】登録実用新案３０８０６８２号
【考案の概要】
【考案が解決しようとする課題】
【０００４】  ス−パ−などで得るビニ−ル袋を有効活用するため、袋をたたんで箱などに収め保管するが、一度使用された袋は空気を含み膨らんで、きれいにたたんだ状態を維持保管することが難しく、たたんだ型が崩れ格納容積も大きくなりやすい。また保管した袋を取り出すと、せっかく整理して重ねていた袋が乱れ保管箱の中は整理した状態を維持することが困難であり、欲しい袋を取り出すのが難しい。
【課題を解決するための手段】
【０００５】  ビニ−ル袋をたたんで圧縮した状態で保管するのに適した間隔で設置した仕切りを設けた整理用具で、仕切りの間隔はビニ−ル袋１−２枚程度が入る間隔とし、仕切りの形状は棒状、薄い板状またはバネ板などとする。
【考案の効果】
【０００６】  ビニ−ル袋の空気をできるだけ押し出した状態でたたみ、仕切り毎に１−２枚づつ差し込み保管することで、仕切りの効果により空気を押し出した状態がいつまでも維持でき、保管容積が大きくなることがない。また目的の袋を探し出すことも容易であり、取り出した袋が他の袋の保管状態を乱すこともなく、いつも整理された状態を維持できる。
【図面の簡単な説明】
【０００７】
【図１】整理用具の正面図で棒状および板状仕切りと土台板からなる例を示す
【図２】整理用具の平面図で棒状の仕切りおよび土台板の切り込みの例を示す
【図３】整理用具の側面図で棒状の仕切り例を示す
【図４】整理用具の平面図で板状の仕切り並びに土台板の切り込み例を示す
【図５】整理用具の側面図で板状の仕切り例を示す
【図６】整理用具の正面図でバネ状の仕切り例を示す
【図７】ビニ−ル袋を挿入した実施例を示す
【考案を実施するための形態】
【０００８】  収納しようとするたたんだビニ−ル袋１−２枚毎に収まる程度の間隔に、棒状、板状、バネ状などの仕切りを土台板に設置または同時成型する。土台板は切断しやすい材質や切断し易い溝を設けておく。
【実施例】
【０００９】  以下、添付図面に従って実施例を説明する。ビニ−ル袋をたたんで１−２枚挿入するのに適した間隔で１の仕切りを２土台板に設置する。仕切りは４棒状の仕切り、５板状の仕切り、６バネ板状の仕切りなどの例を示す。仕切土台となる２土台板は予め大きくし、切りやすい材質を用いたり切り込み３溝などを施しておく。本整理用具を使用するときは、そのまま使用するか、目的の大きさに合わせて箱などに収めて使用するときは切り込み３溝などを用いて切断したり、切断したものを組み合わせたりして入れ込む。７ビニ−ル袋をたたんで空気を押しだした上挿入した例を示す。
【符号の説明】
【００１０】  １  仕切り
２  土台板
３  溝
４  棒状仕切り
５  板状仕切り
６  バネ状仕切り
７  ビニ−ル袋
【図１】
0003162344.tif 000003
【図２】
0003162344.tif 000004
【図３】
0003162344.tif 000005
【図４】
0003162344.tif 000006
【図５】
0003162344.tif 000007
【図６】
0003162344.tif 000008
【図７】
0003162344.tif 000009
【手続補正書】
【提出日】平成21年12月3日(2009.12.3)
【手続補正１】
【補正対象書類名】実用新案登録請求の範囲
【補正対象項目名】全文
【補正方法】変更
【補正の内容】
【実用新案登録請求の範囲】
【請求項１】
収納しようとするたたんだビニ−ル袋１−２枚毎に収まる程度の間隔で仕切を土台板に設置又は同時成型していることを特徴とした収納具。
(57)【要約】      （修正有）【課題】揺れがなく、傾きもなく、ズレ落ちもなく、安定した、ネクタイ、ベルトの挿着・選別を容易にする壁面取付型、ネクタイ・ベルト掛け具を提供する。【解決手段】丸棒剛体を漢字の目の字を横にした形の上部バーに？型の吊り具２を左右に設けて本体１を構成する。又、丸棒剛体をカナ文字のコの字の両先端を垂直に上に曲げた、ネクタイ掛けバー３と、コの字の背面をベルト掛けバー４に一体加工し、本体手前水平に突出させ、コの字の背面を本体に上下数段に等間隔で溶着して、ネクタイ・ベルト掛けバーとする。さらに、丸棒剛体を一定の長さをＵ字に折り曲げ、Ｕ字の先端と底の中芯で、Ｌ字に曲げた、壁止メ具６を本体裏側四隅に溶着させ、壁固定用木ネジで固定することにより空間８が構成される壁止メ具として、壁取付型ネクタイ・ベルト掛け具を構成する。【選択図】図３
0003162348.tif 000002
【実用新案登録請求の範囲】
【請求項１】
本体  吊り下げ具２が２本で吊るすため傾きがない。
【請求項２】
本体  固定具６固定木ネジ７にて側面、壁面に固定ができて安定した挿着、選別を容易にした。
【請求項３】
ネクタイ掛けバー３が本体より直角に水平に手前に出て先端がネクタイの全長の細い方より２／３の位置の巾で上に直角５に曲げているいるのでネクタイが引っ掛かりズレ落ちをなくした、
【請求項４】
ベルト掛けバー４にベルトを４と４の間と空間８に挿入することによりバックールがバー４に引っ掛るのでベルトが掛けられる。
【考案の詳細な説明】
【技術分野】
【０００１】  本考案は洋服タンスの扉裏側にはネクタイ掛け・ハンガー掛けに、本考案品を吊り下げる、又は側・壁面に木ネジ（図６−８）にて固定して安定した、ネクタイ・ベルトの挿着、選別を容易にしたものである。
【背景技術】
【０００２】  従来のネクタイ・ベルト掛け具は、壁面取付型はない。
【考案の概要】
【考案が解決しようとする課題】
【０００３】  従来のネクタイ掛けは本体を吊るす金具は１本で、片方に数本多くネクタイを掛けると不均衡になり傾きズレ落ちがあった。又、壁面に吊るした場合はネクタイの挿着、選別が容易にできない。
従来のネクタイ・ベルト掛けは壁取付型はなかった、壁、側面取付型を考案した。
【課題を解決するための手段】
【０００４】  本考案は本体を吊る金具は２本（図１−２）で吊るすため本体は傾きもなく、又、側面壁面に、止め具（図１・６−７）を、木ネジ（図６−８）にて固定でき、揺れがなく、ネクタイ・ベルトの安定した挿着、選別が容易にできる。
本体の裏側に空間（図２・３・４−８）を設けてあるため、ベルト（図５−１０）のように掛けられる。
【考案の効果】
【０００５】  洋服タンス扉の裏側にネクタイ掛けバー（３０ｃｍ−４０ｃｍ）が付いているが重ね掛けても１０本程度、又、従来品、吊り下げ型も同様１０本程度。
本考案品は重ねなしで４０本、掛けられる。又、本体より直角に水平に突き出し手いるネクタイ掛けバー（図２・３・４−３）に、ネクタイの全長の細い方から２／３の巾の位置で垂直５に曲げているので、ズレ落ちを防止している。
ベルト掛けバー（図２・３・４−４）４と４の間にベルトをバックウルまで挿入（図５）することにより掛けられる。
【図面の簡単な説明】
【０００６】
【図１】  本考案の正面図である。
【図２】  本考案の側面図である。
【図３】  本考案の姿図である。
【図４】  本考案のネクタイ掛け事例図である。
【図５】  本考案のベルト掛け事例図である。
【図６】  本考案の本体固定用木ネジ止メ図である。
【考案を実施するための形態】
【０００７】以下、本考案の実施の形態について説明する。
（イ）洋服タンス扉裏にネクタイ掛けバー、又、ハンガー掛けに本体吊り下げ具２、を引っ掛ける。
（ロ）壁・側面に本体止メ具６、を木ネジ７、にて固定する。
【符号の説明】
【０００８】１    ネクタイ・ベルト掛け本体
２    本体吊り下げ具
３    ネクタイ掛け具
４    ベルト掛け具
５    ネクタイズレ止メ具
６    固定止メ具
７    固定用木ネジ
８    空間
９    ネクタイ
１０  ベルト
【図１】
0003162348.tif 000003
【図２】
0003162348.tif 000004
【図３】
0003162348.tif 000005
【図４】
0003162348.tif 000006
【図５】
0003162348.tif 000007
【図６】
0003162348.tif 000008
【手続補正書】
【提出日】平成22年3月19日(2010.3.19)
【手続補正１】
【補正対象書類名】実用新案登録請求の範囲
【補正対象項目名】全文
【補正方法】変更
【補正の内容】
【実用新案登録請求の範囲】
【請求項１】
本考案は漢字の目の字を横にしたかたちに上部に？型の吊り具２個を左右に設けた本体と、目の字を横にした本体の縦４本にベルト掛けバーを横水平に上下数段に溶着したもので、又、吊り具左右２箇所で吊るので傾きがない、ベルト掛け具。
尚、本体の裏側四隅に壁固定止メ具に木ネジで壁面に固定することにより空間ができ、ベルト掛けバーとバーの間と空間にベルトを挿入することでバックールが引っ掛かるのと安定が特徴とする。壁取付型ネクタイ・ベルト掛け具。
【請求項２】
本考案は漢字の目の字を横にしたかたちに縦４本にベルト掛けバーを溶着と同じ位置にネクタイ掛けバーを本体より手前水平に溶着させたもので、ネクタイ掛けバーの先端をネクタイ全長の２／３の巾の位置で９０度に上に折り曲げたことでそこにネクタイが引っ掛りズレ落ちない、又、吊るした場合は吊り具左右２箇所で吊るので傾きがないのと壁固定により安定と選別の容易さが特徴とする。壁取付型ネクタイ・ベルト掛け具。
【手続補正書】
【提出日】平成22年6月8日(2010.6.8)
【手続補正１】
【補正対象書類名】実用新案登録請求の範囲
【補正対象項目名】全文
【補正方法】変更
【補正の内容】
【実用新案登録請求の範囲】
【請求項１】
壁取付型ネクタイ・ベルト掛け具において、
（１）所定の強度を有する丸棒剛体を漢字の目の字を横にした形の上部バーに？型の吊り具２個を左右に設けた本体と、
（２）所定の強度を有する丸棒剛体をカナ文字のコの字の両先端を垂直に上に曲げた、ネクタイ掛けバーと、コの字の背面をベルト掛けバーに一体加工したのを，本体手前水平に突出させ、コの字の背面を本体に上下数段に等間隔で溶着した、ネクタイ・ベルト掛けバーと、
（３）所定の強度を有する丸棒剛体を一定の長さをＵ字に折り曲げ、Ｕ字の先端と底の中芯で、Ｌ字に曲げた、壁止メ具を本体裏側四隅に溶着させ、壁固定用木ネジで固定することにより空間が構成される壁止メ具と、
を有する、壁取付型ネクタイ・ベルト掛け具。
(57)【要約】      （修正有）【課題】製造が簡単でありコストが低く、命中した時の感知能力を向上させることができる射撃ターゲットの気圧感知構造を提供する。【解決手段】ケースと、弾性膜１２と、気圧測定装置１４とによって構成する。ケースは開放式の収容空間を備え、ケースには穿孔が設けられ、弾性膜はケースを被覆し、それにより収容空間は密閉状態を形成し、気圧測定装置は穿孔に設けられ、気圧測定装置内には可動部材１４２が設けられた収容領域１４０を備え、収容領域内には可動部材が動いたことを感知する感知部材１４４が設けられる。【選択図】図５
0003162469.tif 000002
【実用新案登録請求の範囲】
【請求項１】
ケースと、弾性膜と、気圧測定装置とによって構成し、
ケースは開放式の収容空間を備え、ケースには穿孔が設けられ、
弾性膜はケースを被覆し、それにより収容空間は密閉状態を形成し、
気圧測定装置は穿孔に設けられ、気圧測定装置内には可動部材が設けられた収容領域を備え、収容領域内には可動部材が動いたことを感知する感知部材が設けられることを特徴とする、射撃ターゲットの気圧感知構造。
【請求項２】
該ケース内には、一組の発光素子を駆動させる回路基板が設けられることを特徴とする、請求項１に記載の射撃ターゲットの気圧感知構造。
【請求項３】
該可動部材はポリスチレンであることを特徴とする、請求項１に記載の射撃ターゲットの気圧感知構造。
【考案の詳細な説明】
【技術分野】
【０００１】
本考案は、弾が命中した時の感知能力を向上させる射撃ターゲットの気圧感知構造に関する。
【背景技術】
【０００２】
近年、サバイバルゲームが流行している。台湾では、実弾射撃はまだ開放されておらず、実弾射撃の代わりに玩具のエアーガンが用いられているが、雨や一人で遊ぶ時には、場所や目標物が制限され面白みに欠けてしまう。現在、市場に出回っている射撃のターゲットには、紙で作られ、命中してターゲットが倒れたら自分の手で起こす方式のタイプや、電動のターゲットがあるが、設計や材質が原因で故障や破損がしやすく、拡張性もなく、また、感知能力が低いなどの欠点があり、利便性が低い。また、専門的な射的設備は、一般的のエアーガンを趣味としているプレイヤーにとっては経済的に手が届かない。
【０００３】
また、現在の一般的な射撃ターゲットの感知は、デジタルセンサによって得点が計算されている。しかしながら、この方式は、感知能力が低いだけでなくコストも高く、組立てやメンテナンスの観点からも経済的ではない。しかも、デジタルセンサが故障した場合、得点を計算することができなくなり、射撃の試合や遊びに影響を与える。
【考案の概要】
【考案が解決しようとする課題】
【０００４】
そこで、本考案は、製造が簡単でありコストが低く、命中した時の感知能力を向上させることができる射撃ターゲットの気圧感知構造を提供することを目的とする。
【課題を解決するための手段】
【０００５】
本考案による射撃ターゲットの気圧感知構造は、ケースと、弾性膜と、気圧測定装置とによって構成する。ケースは開放式の収容空間を備え、ケースには穿孔が設けられ、
弾性膜はケースを被覆し、それにより収容空間は密閉状態を形成し、気圧測定装置は穿孔に設けられ、気圧測定装置内には可動部材が設けられた収容領域を備え、収容領域内には可動部材が動いたことを感知する感知部材が設けられる。
【図面の簡単な説明】
【０００６】
【図１】本考案の一実施形態の外観を示した斜視図である。
【図２】本考案の一実施形態の構成を示した分解斜視図である。
【図３】本考案の一実施形態の作動状態を示した断面図１である。
【図４】本考案の一実施形態の作動状態を示した断面図２である。
【図５】本考案の一実施形態の作動状態を示した断面図３である。
【図６】本考案の一実施形態の作動状態を示した説明図である。
【考案を実施するための形態】
【０００７】
図１は本考案の一実施形態の外観を示した斜視図であり、図２は本考案の一実施形態の構成を示した分解斜視図である。本考案による射撃ターゲットの気圧感知構造１は、ケース１０と、弾性膜１２と、気圧測定装置１４とによって構成する。ケース１０は開放式の収容空間１０２を備え、ケース１０には穿孔１０４が設けられ、ケース１０の開放式収容空間１０２には弾性膜１２が被覆され、それにより、収容空間１０２は密閉状態を形成する。穿孔１０４の位置には、気圧測定装置１４が設けられる。また、気圧測定装置１４内には収容領域１４０が設けられ、この収容領域内には可動部材１４２（ポリスチレン）が設けられる。また、収容領域１４０内には感知部材１４４も設けられ、感知部材１４４によって、可動部材１４２が動いたかどうか感知される。また、ケース１０内には、一組の発光素子２０を駆動させる回路基板２が設けられ、回路基板２は感知部材１４４と電気的に接続される。
【０００８】
本考案を使用した時の作動状況について以下に説明をおこなう。図３は本考案の一実施形態の作動状態を示した断面図１であり、図４は、本考案の一実施形態の作動状態を示した断面図２であり、図５は本考案の一実施形態の作動状態を示した断面図３である。本考案を使用する際は、気圧測定装置１４をケース１０の穿孔１０４に取り付ける。この時、気圧測定装置１４と収容空間１０２は、相互に気流が通流する。その後、ケース１０を弾性膜１２で被覆し、収容空間１０２を密閉状態にする。
【０００９】
そして、弾性膜１２が外からの物体に触れた時（例えば、ＢＢ弾）、弾性膜１２は変形し、それにより収容空間１０２内の気流が動き、気圧測定装置１４内の可動部材１４２はこの気流の影響を受けて位置が移動する。
【００１０】
収容領域１４０内に設けられた感知部材１４４は、可動部材１４２の移動を感知した後、感知信号を演算ユニット（図示せず）に送る。以上の構造により、外部の物体が弾性膜１２の周辺に触れただけでも、弾性膜１２に物体が触れたことを感知することができ、射撃ターゲットの感知の正確性が向上する。
【００１１】
図６は、本考案の一実施形態の作動状態を示した説明図である。図６と同時に図２も参照する。ここでは、本考案を格子状のターゲットに適用させている。射撃の攻撃目標や命中したターゲットを表示させるために、射撃ターゲットの気圧感知構造１のケース１０内には一組の発光素子２０を駆動させる回路基板２が設けられており、回路基板２と感知部材１４４は電気的に接続され、射撃の攻撃目標や命中したターゲットを表示させることができる。
【符号の説明】
【００１２】
１      射撃ターゲットの気圧感知構造
１０    ケース
１０２  収容空間
１０４  穿孔
１２    弾性膜
１４    気圧測定装置
１４０  収容領域
１４２  可動部材
１４４  感知部材
２      回路基板
２０    発光素子
【図１】
0003162469.tif 000003
【図２】
0003162469.tif 000004
【図３】
0003162469.tif 000005
【図４】
0003162469.tif 000006
【図５】
0003162469.tif 000007
【図６】
0003162469.tif 000008
(57)【要約】      （修正有）【課題】ハニカム構造の導入により強度が大であるとともに軽量なプラスチック製のヘルメットを提供する。【解決手段】ヘルメットはプラスチックス製のハニカムコアプレートよりなる基材２が変形加工されて形成されている。基材２は隔壁５それぞれにより区切られた６角の平面形状を持つ多数の空間４の集合であるハニカム構造を形成するコア材６の両面にプレート８のそれぞれを一体に備えている。ハニカムコアプレートとしては、例えばポリプロピレン樹脂が連続成形されたものを使用し、そのハニカムコアプレートが型に納められて変形加工され、周縁が所定の形状になるように切除加工され、さらに、所定の複数位置に通気穴１０が形成される。通気穴１０は空間４の両端において相対して位置するプレート８部分それぞれが切除されることで形成される。【選択図】図２
0003162405.tif 000002
【実用新案登録請求の範囲】
【請求項１】
ハニカム構造を形成するコア材の両面にプレートを一体に備えるプラスチックス製のハニカムコアプレートが変形加工されて形成されてなるヘルメット。
【請求項２】
周縁に沿って縁材が被嵌されてなる請求項１記載のヘルメット
【請求項３】
前記プレートの相対する部分が切除されることで通気穴が設けられてなる請求項１記載のヘルメット
【考案の詳細な説明】
【技術分野】
【０００１】  この考案は、作業用、さらには、スポーツ用等として用いられるヘルメットの改良に関する。
【背景技術】
【０００２】  この種ヘルメットは、強度が大であるとともに軽量であることが望まれる。プラスチック製のものは軽量であるが強度が十分でなく、強度を高めるべく厚みを大きくすると重量が増すとともに製造コストも高くなる。
【考案の概念】
【考案が解決しようとする課題】
【０００３】  この考案は、強度が大であるとともに軽量であるプラスチック製のヘルメットを提供することを目的とする。
【課題を解決するための手段】
【０００４】  この考案では、ハニカム構造を形成するコア材の両面にプレートを一体に備えるプラスチックス製のハニカムコアプレートが変形加工されて形成されてなるヘルメットを提供する。
【０００５】  この考案のヘルメットは、ハニカム構造を形成するコア材を持つハニカムコアプレートよりなることできわめて剛性に優れるとともに、プラスチックス製であり、かつ、内部にハニカム構造による空間を持つことで軽量である。また。ハニカム構造による空間が断熱機能を発揮し、直射日光を受ける環境ではその断熱空間により熱が頭部に及ぶことが制限される。
【０００６】  このヘルメットは、周縁に沿って縁材が被嵌される構成とされることで、周縁が補強されるとともに見栄えの良いものとなる。また、プレートの相対する部分が切除されることで通気穴が容易に設けられる。
【考案の効果】
【０００７】  この考案によれば、十分な強度を持つとともに軽量であって、作業用、スポーツ用として好適に用いられるプラスチック製のヘルメットが提供される。とくに、断熱性能に優れ直射日光下において好適に使用される安全性に優れるヘルメットが提供される。
【図面の簡単な説明】
【０００８】
【図１】  この考案のヘルメットの実施形態の斜視図
【図２】  この考案のヘルメットの実施形態の図１のＸ部分の拡大切り欠き断面図
【図３】  この考案のヘルメットの実施形態の周縁位置断面図
【考案を実施するための形態】
【０００９】  図１はこの考案のヘルメットの外観斜視図、図２は図１におけるＸ部分の切り欠き拡大図、図３は同周縁位置断面図である。
である。
【００１０】  ヘルメット１はその外形は従来品と同様であり、プラスチックス製のハニカムコアプレートよりなる基材２が変形加工されて形成されている。基材２は隔壁５それぞれにより区切られた６角の平面形状を持つ多数の空間４の集合であるハニカム構造を形成するコア材６の両面にプレート８のそれぞれを一体に備えている（図２において、基材２表面の点線は実際には現れない）。
【００１１】  ハニカムコアプレートとしては、例えばポリプロピレン樹脂が連続成形されたものを使用し、そのハニカムコアプレートが型に納められて変形加工され、周縁が所定の形状になるように切除加工され、さらに、所定の複数位置に通気穴１０が形成されるとともに周縁に沿ってゴム製の縁材１２が被嵌されて製作される。通気穴１０は空間４の両端において相対して位置するプレート８部分それぞれが切除されることで形成される。
【００１２】  実験によれば、上記ヘルメット１はポリプロピレン樹脂製のものにおいて、同様の剛性を発揮する従来のポリプロピレン樹脂製のヘルメットに比してその重量は約１／３程度であることが確認された。
【符号の説明】
【００１３】１  ヘルメット
２  基材
４  空間
５  隔壁
６  コア材
８  プレート
１０  通気穴
１２  縁材
【図１】
0003162405.tif 000003
【図２】
0003162405.tif 000004
【図３】
0003162405.tif 000005
(57)【要約】【課題】ペットボトルと一体に携帯し、且つストローの衛生的保管、再使用に対応できると共に、ストローの下端吸込口が常時ペットボトルの底部の所定位置に存させ、不安定な状態とならない様にすることとした。【解決手段】上部に飲料水の注入口を有し、且つ底部中央に一体的に形成して突出された受部を有するボトル本体と、このボトル本体の上部の注入口から挿入され、且つ該注入口のキャップにて押え込まれて下端の吸込口を前記受部に圧接される中間に蛇腹部を有するストローとで成したことを特徴とするストロー付きペットボトル。【選択図】  図１
0003162406.tif 000002
【実用新案登録請求の範囲】
【請求項１】
上部に飲料水の注入口を有し、且つ底部中央に一体的に形成して突出して突出された受部を有するボトル本体と、このボトル本体の上部の注入口から挿入され、且つ該注入口のキャップにて押え込まれて下端の吸込口を前記受部に圧接される中間に蛇腹部を有するストローとで成したことを特徴とするストロー付きペットボトル。
【請求項２】
前記受部は、ストローの吸込口の内孔が挿入される突柱としたことを特徴とする請求項１記載のストロー付きペットボトル。
【請求項３】
前記受部は、ストローの吸込口が差込まれる輪状に形成したことを特徴とする請求項１記載のストロー付きペットボトル。
【考案の詳細な説明】
【技術分野】
【０００１】
本考案は飲料水を収納し、適宜ストローにて吸い上げ飲料するストロー付きペットボトルに関する。
【背景技術】
【０００２】
一般的に自動販売機、或いは店頭にて購入する飲料水は大別して二通りが存在する。
即ち、その一つは紙パックタイプであって、少量の飲料水、特に果汁等の嗜好飲物に適する。
一方、単なる自然水については、紙パックに比し大容量とすることから、ペットボトルが適する。
紙パックは小容量であることから、ストローを紙パックの外面に沿わせて貼着装備し、１回の開封摂取にて飲み干し、紙パックは廃棄している。
所で、大容量のペットボトルは、１回の開封摂取にて飲み干すことはなく、数度の摂取となる。
【０００３】
而して、カップにて小分けに摂取するとなると、そのカップの携帯が煩わしく、又数度の使用となると衛生上、保管も容易ではない。
そこで、ペットボトルの飲口を直接銜え摂取しており、特に人前では好ましい風景ではない。
勿論、ストローを常時備えることは、カップと同様に衛生上、保管も容易ではない。
【０００４】
斯様なことから、下記文献が存在する。
先ず、技術文献１は飲料水の注入口であって、ペットボトルの飲口に備えられるキャップを二段形状として、下段をペットボトルの飲口に捻じ込む下キャップとし、上段をストローのくわえ部を収納する上キャップとしている。
確かに、ストローの衛生的保管、再使用には対応できるが、ストローの下端の吸込口は、単にペットボトルの底部に位置しているだけであって、キャップを閉めるとペットボトルの底部でのストローの下端の位置が定まらず不安定であり、且つ往々にしてペットボトルの底部の隅にずれ込み、ストローが斜めになってその分短くなり、正常な摂取が出来なく、不安定と言える。
同様に、技術文献２においては、ストローの下端の吸込口はペットボトルの底部から、浮いた状態であって、ウキを設けることともなる。
【先行技術文献】
【特許文献】
【０００５】
【特許文献１】特開２００５−２０６２３４号
【特許文献２】特開２００６−２０４８４０号
【考案の概要】
【考案が解決しようとする課題】
【０００６】
本考案は、ペットボトルと一体に携帯し、且つストローの衛生的保管、再使用に対応できると共に、ストローの下端吸込口が常時ペットボトルの底部の所定位置に存させ、不安定な状態とならない様にすることとした。
【課題を解決するための手段】
【０００７】
本考案は、上部に飲料水の注入口を有し、且つ底部中央に一体的に形成して突出された受部を有するボトル本体と、このボトル本体の上部の注入口から挿入され、且つ該注入口のキャップにて押え込まれて下端の吸込口を前記受部に圧接される中間に蛇腹部を有するストローとで成したことを特徴とするストロー付きペットボトルである。
更に本考案は、受部をストローの吸込口の内孔が挿入される突柱としたことを特徴とするストロー付きペットボトルである。
又本考案は、受部をストローの吸込口が差込まれる輪状に形成したことを特徴とするストロー付きペットボトルである。
【考案の効果】
【０００８】
（１）請求項１により、ストローをペットボトルと一体に携帯し、且つストローの衛生的保管、再使用に対応できると共に、ストローの下端吸込口が常時ペットボトルの底部の所定位置に存させ、ストローがペットボトルの底部の隅にずれ込み、ストローが所定より短くなって、正常な摂取が出来なく様なこともない。
（２）請求項２により、ペットボトルの底部の受部は、単に突柱としているので、ストローの下端吸込口を差込むだけでよく、簡単に所定位置に備えることができる。
（３）請求項３により、請求項２と同様に、ストローの下端吸込口を差込むだけで簡単に所定位置に備えることができる。
【図面の簡単な説明】
【０００９】
【図１】ストロー付ペットボトルの部分断面正面図
【図２】ストローの正面図
【図３】部分断面平面図
【図４】部分拡大断面図
【考案を実施するための形態】
【００１０】
以下本考案を実施形態の図面に基づいて説明する。
図１はストロー付ペットボトルを示す部分断面正面図であって、ボトル本体１は上部に飲料水Ｗの注入口２を有し、且つ底部３の中央には一体的に突出して受部４を形成している。
この受部４にはストロー５の下端５ａの吸込口５ｃが位置し、左右にずれることはない。
この受部４は図１、３に示す如く、スリット４ａを設けた輪状に形成し、スリット４ａを介してボトル本体１内の飲料水Ｗはストロー５に導かれる。
尚、ストロー５の下端５ａの吸込口５ｃには縦スリット５ｄが施されており、下端がボトル本体１の底部３に密接しても、飲料水Ｗの吸い上げに支障がない様にしている。
【００１１】
又、図４は、受部４を単に突柱４ｂとしており、これらは任意である。
而してストロー５は、中間に蛇腹部６を有しており、ボトル本体１の注入口２に捻じ込まれたキャップ７にてストロー５の上端５ｂが押え込まれ、下端５ａの吸込口５ｃが受部４に圧接されると共に、中間の蛇腹部６が座屈する。この蛇腹部６の座屈が数度の使用で多少短くなったストロー５の長さを補完すると共に、キャップ７を外した際、ストロー５が伸び上がり、飲料水Ｗの吸引摂取に支障がない。
【符号の説明】
【００１２】
Ｗ  飲料水
１  ボトル本体
２  注入口
３  底部
４  受部
５  ストロー
６  蛇腹部
【図１】
0003162406.tif 000003
【図２】
0003162406.tif 000004
【図３】
0003162406.tif 000005
【図４】
0003162406.tif 000006
(57)【要約】      （修正有）【課題】排便・排尿時に片手にて操作し、汚物始末を手際よく行え、且つ手先が少し離れた位置から汚物収集用具を操作できるペットの汚物収集器具を提供する。【解決手段】一本の金属線にて形成された手先の保持部２と、この保持部２から引出された伸延部３と、この伸延部３の先端から四角状に広がって形成されると共に、地面に接する左右輪部を有する四角状受枠４と、この四角状受枠の左右線、前記伸延部の左右先端線、更には先端両線にて囲まれた内側空所７とを有する器具本体１と、この器具本体１の内側空所７に着脱自在に装填されると共に、ペット汚物を収納するビニール、ポリエチレン等の軟質合成樹脂製の柔軟性袋９とで成したことを特徴としてペットの汚物収集用具を構成する。【選択図】図１
0003162407.tif 000002
【実用新案登録請求の範囲】
【請求項１】
一本の金属線にて形成された手先の保持部と、この保持部から引出された伸延部と、この伸延部の先端から四角状に広がって形成されると共に、地面に接する左右輪部を有する四角状受枠と、この四角状受枠の左右線、前記伸延部の左右先端線、更には先端両線にて囲まれた内側空所とを有する器具本体と、この器具本体の内側空所に着脱自在に装填されると共に、ペット汚物を収納するビニール、ポリエチレン等の軟質合成樹脂製の柔軟性袋とで成したことを特徴としたペットの汚物収集用具。
【請求項２】
前記器具本体は、先端両線を地面に接するＶ字状部としたことを特徴とした請求項１記載のペットの汚物収集用具。
【請求項３】
前記器具本体は、伸延部に左右輪部との連接部においてコイル状バネ部を形成したことを特徴とした請求項１記載のペットの汚物収集用具。
【考案の詳細な説明】
【技術分野】
【０００１】
本考案はペットを屋外に連れ出すことによって伴う汚物始末を手際よく行う汚物収集器具に関する。
【背景技術】
【０００２】
一般的にペットの汚物処理は、収集器具を片手で手際よく行えることが理想である。
而して、上記観点から下記文献が存在する。
即ち、収集器具を紙にて箱型に形成し、その箱型器具の先端からペットの排便状態でそのまま汚物を受ける導入板を突出させている。
然しながら、この箱型器具を直接手先にて保持することから、手先が余りにも近過ぎ、ややもすると手先が汚物にて汚れる虞もあり、而も箱型器具の導入板を含め折り曲げて閉蓋して始末しなければならない。
特に、排尿であると多少共、飛散するので敬遠されることとなる。
【先行技術文献】
【特許文献】
【０００３】
【特許文献１】特開２０００−３４２０９７号
【考案の概要】
【考案が解決しようとする課題】
【０００４】
本考案は、排便・排尿時に片手にて操作し、汚物始末を手際よく行え、且つ手先が少し離れた位置から汚物収集用具を操作できることへの課題を解決することとした。
【課題を解決するための手段】
【０００５】
本考案は、一本の金属線にて形成された手先の保持部と、この保持部から引出された伸延部と、この伸延部の先端から四角状に広がって形成されると共に、地面に接する左右輪部を有する四角状受枠と、この四角状受枠の左右線、前記伸延部の左右先端線、更には先端両線にて囲まれた内側空所とを有する器具本体と、この器具本体の内側空所に着脱自在に装填されると共に、ペット汚物を収納するビニール、ポリエチレン等の軟質合成樹脂製の柔軟性袋とで成したことを特徴としたものである。
【０００６】
更に本考案は、器具本体を、先端両線を地面に接するＶ字状部としたことを特徴としたものである。
また本考案は、器具本体を、伸延部に左右輪部との連接部においてコイル状部を形成したことを特徴としたものである。
【考案の効果】
【０００７】
（１）請求項１により、ペット汚物を収納する軟質合成樹脂製の柔軟性袋と器具本体
を操作する手先の保持部とは伸延部によって適当に距離がおかれており、手先が
汚物にて汚れる虞もなく、而も収集後は柔軟性袋を外して口縁を結び付ければよ
く、始末が手際よく行えると共に、排尿時、多少の飛散にも直接降りかかること
がない。
特に、ペット汚物を収納する柔軟性袋は、例えばスーパーのレジ袋にて用を達
することができ、特別な袋を用いることもない。
【０００８】
（２）請求項２により、器具本体のＶ字状部が地面に接して一定高さ浮き上がってい
るので、その浮き上がり高さが汚物収集スペースとなって汚物が地面にたれ流れ
出ることはない。
【０００９】
（３）請求項３により、コイル状部を中心に器具本体の伸延部と左右輪部とは適
宜上下に曲げることができ、ペットの大きさに伴う排便位置に対応できる。
【図面の簡単な説明】
【００１０】
【図１】ペットの汚物収集用具の斜視図
【図２】同上の使用状態図
【図３】同上の拡大部分図
【図４】同上の側面図
【考案を実施するための形態】
【００１１】
以下本考案を実施形態の図面に基づいて説明すると、図１は汚物収集器具を示す斜
視図であって、器具本体１は一本の金属線１ａを二重にして形成されている。
具体的には手先にて保持される輪状の保持部２から伸延部３を伸ばして先端から広げて、この左右広角先端線１ｂに地面Ｈに接する左右輪部４をそれぞれ形成している。
この伸延部３の左右広角先端線１ｂから左右金属線１ｃが延長され、四角状受枠５を形成する。
【００１２】
而して、伸延部３の左右広角先端線１ｂ、この四角状受枠５の左右金属線１ｃ及び該左右金属線１ｃの先端に設けられた地面Ｈに接するＶ字状部６とで囲まれた内側空所７を形成している。このＶ字状部６が図２に示す如く、地面Ｈに接することとなる。
尚、上記伸延部３と左右広角先端線１ｂとの間にはコイル状部８が形成されており、輪状の保持部２を手先にて上下動し、ペットの大きさに伴う排便位置に対応できる。
【００１３】
更に図１に示す如く、器具本体１の内側空所７に柔軟性袋９の口縁９ａを巻き付け、この柔軟性袋９にてペットＰの汚物を収納する。
この柔軟性袋９としては、主にビニール、ポリエチレン製のものが用いられる。
次に本考案ペットの汚物収集用具の使用順序を説明すると、先ず図１に示す如く、地面Ｈから高い位置、即ち器具本体１を一定高さ状態にて柔軟性袋９を装填する。
【００１４】
続いて、図３、４に示す如く、地面Ｈに沿わせると共に、ペットＰの大きさ等に適合する様、図３の矢印方向にスライドさせ、図２に示す如くペットＰの汚物を柔軟性袋９に収納し、その後、適宜柔軟性袋９の口縁９ａを結び付けて、持ち帰ることとなる。
【符号の説明】
【００１５】
Ｈ    地面  
１    器具本体
２    保持部
３    伸延部
４    四角状受枠
６    Ｖ字状部
７    内側空所
８    コイル状部
９    柔軟性袋
【図１】
0003162407.tif 000003
【図２】
0003162407.tif 000004
【図３】
0003162407.tif 000005
【図４】
0003162407.tif 000006